(57)【要約】本発明の実施形態は、複数の光電池列、コンバータ、コントローラ、及びバスを含む光電池システムを開示する。複数の光電池列は、２つ又は３つの並列接続された光電池列が１つの電流センサへ接続される少なくとも１つの列グループを含み、少なくとも１つの列グループは、並列に接続された後に、バスを使用することによってコンバータへ接続され、コントローラは、少なくとも１つの列グループの中の夫々の列グループにおける電流センサへ接続され、電流センサは、夫々の列グループの総電流を検出し、逆電流が夫々の列グループにおいて存在するかどうかをコントローラに報告するよう構成され、コントローラは、逆電流が少なくとも１つの列グループにおける対象の列グループにおいて存在するとの電流センサからの報告を受ける場合に、コンバータへ出力される制御信号を調整するよう構成され、コンバータは、調整された制御信号に従って、対象の列グループにおける逆電流を低減するようにバス間のシステム電圧を低減するよう構成される。従って、光電池保護が提供され得るだけでなく、デバイス費用も低減される。
2017530680.tif 000002
【特許請求の範囲】
【請求項１】
光電池システムであって、
当該光電池システムは、複数の光電池列、コンバータ、コントローラ、及びバスを有し、
前記複数の光電池列は、２つ又は３つの並列接続された光電池列が１つの電流センサへ接続される少なくとも１つの列グループを有し、該少なくとも１つの列グループは、並列に接続された後に、前記バスを使用することによって前記コンバータへ接続され、
前記コンバータは、前記コントローラへ接続され、
前記コントローラは、前記少なくとも１つの列グループの中の夫々の列グループにおける電流センサへ接続され、
前記電流センサは、夫々の列グループの総電流を検出し、逆電流が夫々の列グループにおいて存在するかどうかを前記コントローラへ報告するよう構成され、
前記コントローラは、逆電流が前記少なくとも１つの列グループの中の対象の列グループにおいて存在するとの前記電流センサからの報告を受ける場合に、前記コンバータへ出力される制御信号を調整するよう構成され、
前記コンバータは、前記調整された制御信号に従って、前記対象の列グループにおける前記逆電流を低減するように前記バス間のシステム電圧を低減するよう構成される、
光電池システム。
【請求項２】
前記複数の光電池列は、１つの光電池列が１つの電流センサへ接続される列グループを更に有し、
１つの光電池列が１つの電流センサへ接続される前記列グループ、及び２つ又は３つの並列接続された光電池列が１つの電流センサへ接続される前記少なくとも１つの列グループは、並列に接続された後に、前記バスを使用することによって前記コンバータへ接続され、
１つの光電池列が１つの電流センサへ接続される前記列グループにおける前記電流センサは、前記コントローラへ接続される、
請求項１に記載される光電池システム。
【請求項３】
前記コンバータは、スイッチングトランジスタ、第１のキャパシタ、インダクタ、及び第１のダイオードを有し、
前記インダクタの一端は、前記コンバータの入力端へ接続され、前記インダクタの他端は、前記スイッチングトランジスタのコレクタ及び前記第１のダイオードの正電極の両方へ接続され、前記第１のダイオードの負電極は、前記第１のキャパシタの一端へ接続され、前記第１のキャパシタの他端は、前記スイッチングトランジスタのエミッタ及び前記コンバータの出力端の両方へ接続される、
請求項１又は２に記載の光電池システム。
【請求項４】
前記コントローラは、プロセッサ及びドライバを有し、
前記プロセッサは、前記対象の列グループにおける前記逆電流が前記予め設定された閾値よりも高いかどうかを判定するよう構成され、
前記ドライバは、前記プロセッサへ接続され、前記対象の列グループにおける前記逆電流が前記予め設定された閾値よりも高いと前記プロセッサが決定する場合に、前記コンバータへ出力される前記制御信号を調整するよう構成される、
請求項１又は２に記載の光電池システム。
【請求項５】
前記コントローラは、アナログ−デジタルコンバータを更に有し、該アナログ−デジタルコンバータは、前記プロセッサへ接続され、前記電流センサによって報告された前記逆電流のアナログ信号を前記逆電流のデジタル信号に変換し、前記逆電流の前記デジタル信号を前記プロセッサへ出力するよう構成される、
請求項４に記載の光電池システム。
【請求項６】
前記コンバータは、第２のキャパシタを更に有し、該第２のキャパシタの一端は、前記インダクタの一端へ接続され、前記第２のキャパシタの他端は、前記スイッチングトランジスタの前記エミッタへ接続され、前記第２のキャパシタは、前記入力電圧に対してフィルタリング処理を実行するよう構成される、
請求項３に記載の光電池システム。
【発明の詳細な説明】
【技術分野】
【０００１】
本発明は、電子テクノロジの分野に、特に、光電池システムに関する。
【背景技術】
【０００２】
光起電インバータの用途シナリオにおいて、光電池は、負荷のための出力電圧及び出力電流を供給するよう、直列に又は並列に接続される。しかし、１つの光電池列が短絡される場合には、他の光電池列は、短絡した光電池列へ逆電流を供給させられうる。逆電流が光電池の短絡電流よりも高い場合には、故障した光電池列が燃えることが引き起こされうるか、あるいは、深刻な場合では、火災災害が起こりうる。従って、光電池列のために、対応する保護対策が、重大事故の発生を防ぐよう追加される必要がある。
【０００３】
先行技術の解決法では、夫々の光電池列は電流センサへ接続され、夫々の電流センサは実時間において夫々の光電池列の電流を検出する。逆電流が光電池列において存在することを電流センサが検出するとき、光センサは逆電流をコントローラへ報告し、コントローラは、光電池を保護するように光電池列の逆電流を低減するようコンバータを制御する。しかし、その技術的解決法では、夫々の光電池列が電流センサへ接続される必要があり、デバイス費用の増大をもたらす。
【発明の概要】
【０００４】
本発明は、光電池の保護を提供することだけでなく、デバイス費用を低減することもできる光電池システムを提供する。
【０００５】
本発明の第１の態様は、光電池システムであって、複数の光電池列、コンバータ、コントローラ、及びバスを含み、前記複数の光電池列は、２つ又は３つの並列接続された光電池列が１つの電流センサへ接続される少なくとも１つの列グループを含み、該少なくとも１つの列グループは、並列に接続された後に、前記バスを使用することによって前記コンバータへ接続され、前記コンバータは、前記コントローラへ接続され、前記コントローラは、前記少なくとも１つの列グループの中の夫々の列グループにおける電流センサへ接続され、前記電流センサは、夫々の列グループの総電流を検出し、逆電流が夫々の列グループにおいて存在するかどうかを前記コントローラへ報告するよう構成され、前記コントローラは、逆電流が前記少なくとも１つの列グループの中の対象の列グループにおいて存在するとの前記電流センサからの報告を受ける場合に、前記コンバータへ出力される制御信号を調整するよう構成され、前記コンバータは、前記調整された制御信号に従って、前記対象の列グループにおける前記逆電流を低減するように前記バス間のシステム電圧を低減するよう構成される、光電池システムを提供する。
【０００６】
第１の態様の第１のとり得る実施様式において、前記複数の光電池列は、１つの光電池列が１つの電流センサへ接続される列グループを更に含み、１つの光電池列が１つの電流センサへ接続される前記列グループ、及び２つ又は３つの並列接続された光電池列が１つの電流センサへ接続される前記少なくとも１つの列グループは、並列に接続された後に、前記バスを使用することによって前記コンバータへ接続され、１つの光電池列が１つの電流センサへ接続される前記列グループにおける前記電流センサは、前記コントローラへ接続される。
【０００７】
第１の態様の第２のとり得る実施様式において、前記コンバータは、スイッチングトランジスタ、第１のキャパシタ、インダクタ、及び第１のダイオードを含み、
前記インダクタの一端は、前記コンバータの入力端へ接続され、前記インダクタの他端は、前記スイッチングトランジスタのコレクタ及び前記第１のダイオードの正電極の両方へ接続され、前記第１のダイオードの負電極は、前記第１のキャパシタの一端へ接続され、前記第１のキャパシタの他端は、前記スイッチングトランジスタのエミッタ及び前記コンバータの出力端の両方へ接続される。
【０００８】
第１の態様の第３のとり得る実施様式において、前記コントローラは、プロセッサ及びドライバを含み、
前記プロセッサは、前記対象の列グループにおける前記逆電流が前記予め設定された閾値よりも高いかどうかを判定するよう構成され、
前記ドライバは、前記プロセッサへ接続され、前記対象の列グループにおける前記逆電流が前記予め設定された閾値よりも高いと前記プロセッサが決定する場合に、前記コンバータへ出力される前記制御信号を調整するよう構成される。
【０００９】
第１の態様の第３のとり得る実施様式を参照して、第１の態様の第４のとり得る実施様式において、前記コントローラは、アナログ−デジタルコンバータを更に含み、該アナログ−デジタルコンバータは、前記プロセッサへ接続され、前記電流センサによって報告された前記逆電流のアナログ信号を前記逆電流のデジタル信号に変換し、前記逆電流の前記デジタル信号を前記プロセッサへ出力するよう構成される。
【００１０】
第１の態様の第２のとり得る実施様式を参照して、第１の態様の第５のとり得る実施様式において、前記コンバータは、第２のキャパシタを更に含み、該第２のキャパシタの一端は、前記インダクタの一端へ接続され、前記第２のキャパシタの他端は、前記スイッチングトランジスタの前記エミッタへ接続され、前記第２のキャパシタは、前記入力電圧に対してフィルタリング処理を実行するよう構成される。
【００１１】
本発明の実施において、光電池システムは、複数の光電池列、コンバータ、コントローラ、及びバスを含み、複数の光電池列は、２つ又は３つの並列接続された光電池列が１つの電流センサへ接続される少なくとも１つの列グループを含み、少なくとも１つの列グループは、並列に接続された後に、バスを使用することによってコンバータへ接続され、コンバータはコントローラへ接続され、コントローラは、少なくとも１つの列グループの中の夫々の列グループにおける電流センサへ接続され、電流センサは、夫々の列グループの総電流を検出し、逆電流が夫々の列グループにおいて存在するかどうかをコントローラに報告するよう構成され、コントローラは、逆電流が少なくとも１つの列グループにおける対象の列グループにおいて存在するとの電流センサからの報告を受ける場合に、コンバータへ出力される制御信号を調整するよう構成され、コンバータは、調整された制御信号に従って、対象の列グループにおける逆電流を低減するようにバス間のシステム電圧を低減するよう構成される。従って、光電池保護が提供され得るだけでなく、デバイス費用も低減される。
【図面の簡単な説明】
【００１２】
より明りょうに本発明の実施形態における技術的解決法を記載するよう、以下は、実施形態を記載するために必要とされる添付の図面を簡潔に紹介する。明らかに、以下の記載における添付の図面は、本発明のいくつかの実施形態を示し、そして、当業者は、相同的な活動なしで、それらの添付の図面から他の図面をなおも導き出すことができる。
【００１３】
【図１】本発明の実施形態に従う光電池システムの略構造図である。
【００１４】
【図２】本発明の実施形態に従う光電池システムにおけるコンバータの略構造図である。
【００１５】
【図３】本発明の実施形態に従う光電池システムにおけるコントローラの略構造図である。
【００１６】
【図４】光電池列の作動中のＶ−Ｉ曲線グラフである。
【発明を実施するための形態】
【００１７】
以下は、本発明の実施形態における添付の図面を参照して、本発明の実施形態における技術的解決法を明りょうに且つ完全に記載する。明らかに、記載される実施形態は、本発明の実施形態の一部であって全てではない。創造的な活動なしで本発明の実施形態に基づき当業者によって手に入れられる全ての他の実施形態は、本発明の保護範囲内にあるべきである。
【００１８】
図１を参照すると、図１は、本発明の実施形態に従う光電池システムの略構造図である。図１に示されるように、光電池システムは、複数の光電池列、コンバータ、コントローラ、及びバスを含む。複数の光電池列は、２つ又は３つの並列接続された光電池列が１つの電流センサへ接続される少なくとも１つの列グループを含む。少なくとも１つの列グループは、並列に接続された後に、バス（１，２）を使用することによってコンバータへ接続される。コンバータはコントローラへ接続される。コントローラは、少なくとも１つの列グループの中の夫々の列グループにおける電流センサへ接続される。電流センサは、夫々の列グループの総電流を検出し、逆電流が夫々の列グループにおいて存在するかどうかをコントローラに報告するよう構成される。コントローラは、逆電流が少なくとも１つの列グループの中の対象の列グループにおいて存在するとの電流センサからの報告を受ける場合に、コンバータへ出力される制御信号を調整するよう構成される。コンバータは、調整された制御信号に従って、対象の列グループにおける逆電流を低減するようにバス（１，２）間のシステム電圧を低減するよう構成される。
【００１９】
任意で、複数の光電池列は、１つの光電池列が１つの光センサへ接続される列グループを更に含む。１つの光電池列が１つの光センサへ接続される列グループ、及び２つ又は３つの並列接続された光電池列が１つの光センサへ接続される少なくとも１つの列グループは、並列に接続された後に、バス（１，２）を使用することによってコンバータへ接続される。そして、１つの光電池列が１つの電流センサへ接続される列グループにおける電流センサは、コントローラへ接続される。
【００２０】
任意で、図２に示されるように、コンバータは、スイッチングトランジスタ、第１のキャパシタＣ１、インダクタＬ、及び第１のダイオードＤ１を含む。インダクタＬの一端は、コンバータの入力端へ接続され、インダクタＬの他端は、スイッチングトランジスタのコレクタ及び第１のダイオードＤ１の正電極の両方へ接続される。第１のダイオードＤ１の負電極は、第１のキャパシタＣ１の一端へ接続され、第１のキャパシタＣ１の他端は、スイッチングトランジスタのエミッタ及びコンバータの出力端の両方へ接続される。
【００２１】
更に、任意で、コンバータは、第２のキャパシタＣ２を更に含む。第２のキャパシタＣ２の一端は、インダクタＬ１の一端へ接続され、第２のキャパシタＣ２の他端は、スイッチングトランジスタのエミッタへ接続され、第２のキャパシタＣ２は、入力電圧に対してフィルタリング処理を実行するよう構成される。
【００２２】
任意で、図３に示されるように、コントローラは、プロセッサ３０２及びドライバ３０３を含む。
【００２３】
プロセッサ３０２は、対象の列グループにおける逆電流が予め設定された閾値よりも高いかどうかを判定するよう構成される。
【００２４】
ドライバ３０３は、プロセッサへ接続され、対象の列グループにおける逆電流が予め設定された閾値よりも高いとプロセッサが決定する場合に、コンバータへ出力される制御信号を調整するよう構成される。
【００２５】
更に、任意で、コントローラは、アナログ−デジタルコンバータ３０１を更に含む。アナログ−デジタルコンバータ３０１は、プロセッサ３０２へ接続され、電流センサによって報告された逆電流のアナログ信号を逆電流のデジタル信号に変換し、逆電流のデジタル信号をプロセッサへ出力するよう構成される。
【００２６】
本発明のこの実施形態において、逆電流が存在する列グループが１つの光電池列を含むとき、コントローラは、コンバータへ出力される制御信号を調整し、そして、コンバータは、調整された制御信号に従って、バス（１，２）間のシステム電圧を低減して、列グループの逆電流を光電池の短絡電流よりも低く下げる。逆電流が存在する列グループが２つ以上の光電池列を含むとき、コントローラは、コンバータへ出力される制御信号を調整し、そして、コンバータは、調整された制御信号に従って、バス（１，２）間のシステム電圧を低減して、列グループの逆電流を０に下げる。
【００２７】
例えば、図１に示されるように、光電池システムはｎ個の列グループを含み、ｎ個の列グループはｍ個の光電池列を含む。第１の列グループは１つの光電池列を含み、第２の列グループは３つの光電池列を含み、ｎ番目の列グループは２つの光電池列を含む。第１の列グループにおける光電池列１が短絡されるとき、他の光電池列２乃至光電池列ｍの出力電流は全て、最大電流値Ｉｓｃであり、光電池列２乃至光電池列ｍに、逆電流（ｍ−１）Ｉｓｃを光電池列１へ供給させる。そして、電流センサＴ１は、逆電流が第１の列グループにおいて存在すること、及び逆電流の電流値が（ｍ−１）Ｉｓｃであることを検出する。代替的に、第２の列グループにおける光電池列１が短絡されるとき、光電池列２乃至光電池列ｍの出力電流は全て、最大電流値Ｉｓｃであり、光電池列２乃至光電池列ｍに、逆電流（ｍ−１）Ｉｓｃを光電池列１に供給させる。そして、この場合に、電流センサＴ２は、逆電流が第２の列グループにおいて存在すること、及び逆電流の電流値が（ｍ−３）Ｉｓｃであることを検出する。代替的に、ｎ番目の列グループにおける光電池列１が短絡されるとき、光電池列２乃至光電池列ｍの出力電流は全て、最大電流値Ｉｓｃであり、光電池列２乃至光電池列ｍに、逆電流（ｍ−１）Ｉｓｃを光電池列１へ供給させる。そして、この場合に、電流センサＴｎは、逆電流が第２の列グループにおいて存在すること、及び逆電流の電流値が（ｍ−２）Ｉｓｃであることを検出する。
【００２８】
この場合に、電流センサは、逆電流をコントローラへ報告する。逆電流が予め設定された閾値よりも高いとコントローラが決定するとき、コントローラは、制御信号のデューティサイクルＤを増大させるよう夫々のスイッチング周期における高電気レベルの出力時間を増やし、デューティサイクルが増大された制御信号をコンバータへ出力する。図２に示されるように、コンバータは、スイッチング直流ブースト回路である。スイッチング直流ブースト回路は、出力電圧を制御するために、入力された制御信号のデューティサイクルを制御することによってスイッチングトランジスタのターンオンを制御する。スイッチング直流ブースト回路では、出力電圧ｖｏｕｔ及び入力電圧ｖｉｎとの間の関係は、ｖｏｕｔ／ｖｉｎ＝１／（１−Ｄ）である。一定電圧ｖｏｕｔを出力し続けるよう負荷が制御される場合に、電池グループ列回路によって供給される入力電圧ｖｉｎは、制御信号のデューティサイクルＤを増大させることによって低減される。図４に示される、光電池列の作動中におけるＶ−Ｉ曲線グラフに従って、電池グループ列回路によって供給される入力電圧ｖｉｎが低下するとき、セルグループ列回路の出力電流は増大する。この場合に、光電池列２乃至光電池列ｍの出力電流は全て、最大電流値Ｉｓｃであり、光電池列１の順方向電流は増大し、光電池列１の逆電流が光電池の短絡電流より低いか又は０であるまで、光電池列１の逆電流を低下させ、それによって、光電池列を保護する。
【００２９】
本発明のこの実施形態において、光電池システムは、複数の光電池列、コンバータ、コントローラ、及びバスを含み、複数の光電池列は、２つ又は３つの並列接続された光電池列が１つの電流センサへ接続される少なくとも１つの列グループを含み、少なくとも１つの列グループは、並列に接続された後に、バスを使用することによってコンバータへ接続され、コンバータはコントローラへ接続され、コントローラは、少なくとも１つの列グループの中の夫々の列グループにおける電流センサへ接続され、電流センサは、夫々の列グループの総電流を検出し、逆電流が夫々の列グループにおいて存在するかどうかをコントローラに報告するよう構成され、コントローラは、逆電流が少なくとも１つの列グループの中の対象の列グループにおいて存在するとの電流センサからの報告を受ける場合に、コンバータへ出力される制御信号を調整するよう構成され、コンバータは、調整された制御信号に従って、対象の列グループにおける逆電流を低減するようにバス間のシステム電圧を低減するよう構成される。従って、光電池保護が提供され得るだけでなく、デバイス費用も低減される。
【００３０】
簡単な説明のために、前述の方法の実施形態は、動作の連続として表されることが留意されるべきである。しかし、当業者は、本発明が記載されている動作の順に制限されないことを認識するはずである。なぜなら、本発明に従って、いくつかのステップは、他の順序で又は同時に実施されてよいからである。その上、当業者はまた、本明細書において記載される全ての実施形態が、例となる実施形態に属し、関連する動作及びモジュールが、必ずしも本発明にとって義務的でないことを理解するはずである。
【００３１】
前述の実施形態において、夫々の実施形態の記載は、各々の焦点を有している。ある実施形態において詳細に記載されていない部分について、他の実施形態における関連記載が参照されてよい。
【００３２】
当業者は、実施形態における方法のステップの全て又は一部が、関連するハードウェアに指示するプログラムによって実装されてよいことを理解し得る。プログラムは、コンピュータ読み出し可能な記憶媒体において記憶されてよい。記憶媒体は、フラッシュメモリ、リードオンリーメモリ（英語でRead-Only  Memory。略してＲＯＭ）、ランダムアクセスメモリ（英語でRandom  Access  Memory。略してＲＡＭ）、磁気ディスク、及び光ディスクを含んでよい。
【００３３】
本発明の実施形態によって提供されるコンテンツダウンロード方法、関連するデバイス、及びシステムは、先に詳細に記載されている。本発明の原理及び実施様式は、具体例を使用することによって記載されているが、実施形態の記載は、本発明の方法及び核となる考えを理解するのを助けることのみを意図される。その上、具体的な実施様式及び適用範囲に対して、変更及び変形は、本発明の考えに従って当業者によって行われてよい。従って、本明細書の内容は、本発明の制限として解釈されるべきではない。
【図１】
2017530680.tif 000003
【図２】
2017530680.tif 000004
【図３】
2017530680.tif 000005
【図４】
2017530680.tif 000006
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
光電池システムであって、
２つ又は３つの並列接続された光電池列が１つの電流センサへ接続される少なくとも１つの列グループを有する複数の光電池列、
前記少なくとも１つの列グループの中の夫々の列グループにおける電流センサへ接続されるコントローラ、
前記コントローラへ接続されるコンバータ、及び
バス
を有し、
前記少なくとも１つの列グループは、並列に接続された後に、前記バスを使用することによって前記コンバータへ接続され、
前記電流センサは、夫々の列グループの総電流を検出するよう構成され、
前記コントローラは、逆電流が前記電流センサによって前記少なくとも１つの列グループの中の対象の列グループにおいて検出される場合に、前記コンバータへ出力される制御信号を調整するよう構成され、
前記コンバータは、前記調整された制御信号に従って、前記対象の列グループにおける前記逆電流を低減するように前記バス間のシステム電圧を低減するよう構成される、
光電池システム。
【請求項２】
前記複数の光電池列は、１つの光電池列が１つの電流センサへ接続される列グループを更に有し、
１つの光電池列が１つの電流センサへ接続される前記列グループ、及び２つ又は３つの並列接続された光電池列が１つの電流センサへ接続される前記少なくとも１つの列グループは、並列に接続された後に、前記バスを使用することによって前記コンバータへ接続され、
１つの光電池列が１つの電流センサへ接続される前記列グループにおける前記電流センサは、前記コントローラへ接続される、
請求項１に記載される光電池システム。
【請求項３】
前記コンバータは、スイッチングトランジスタ、第１のキャパシタ、インダクタ、及び第１のダイオードを有し、
前記インダクタの一端は、前記コンバータの入力端へ接続され、前記インダクタの他端は、前記スイッチングトランジスタのコレクタ及び前記第１のダイオードの正電極の両方へ接続され、前記第１のダイオードの負電極は、前記第１のキャパシタの一端へ接続され、前記第１のキャパシタの他端は、前記スイッチングトランジスタのエミッタ及び前記コンバータの出力端の両方へ接続される、
請求項１又は２に記載の光電池システム。
【請求項４】
前記コントローラは、プロセッサ及びドライバを有し、
前記プロセッサは、前記対象の列グループにおける前記逆電流が予め設定された閾値よりも高いかどうかを判定するよう構成され、
前記ドライバは、前記プロセッサへ接続され、前記対象の列グループにおける前記逆電流が前記予め設定された閾値よりも高いと前記プロセッサが決定する場合に、前記コンバータへ出力される前記制御信号を調整するよう構成される、
請求項１又は２に記載の光電池システム。
【請求項５】
前記コントローラは、アナログ−デジタルコンバータを更に有し、該アナログ−デジタルコンバータは、前記プロセッサへ接続され、前記電流センサによって報告された前記逆電流のアナログ信号を前記逆電流のデジタル信号に変換し、前記逆電流の前記デジタル信号を前記プロセッサへ出力するよう構成される、
請求項４に記載の光電池システム。
【請求項６】
前記コンバータは、第２のキャパシタを更に有し、該第２のキャパシタの一端は、前記インダクタの一端へ接続され、前記第２のキャパシタの他端は、前記スイッチングトランジスタの前記エミッタへ接続され、前記第２のキャパシタは、入力電圧に対してフィルタリング処理を実行するよう構成される、
請求項３に記載の光電池システム。
【手続補正２】
【補正対象書類名】明細書
【補正対象項目名】０００８
【補正方法】変更
【補正の内容】
【０００８】
第１の態様の第３のとり得る実施様式において、前記コントローラは、プロセッサ及びドライバを含み、
前記プロセッサは、前記対象の列グループにおける前記逆電流が予め設定された閾値よりも高いかどうかを判定するよう構成され、
前記ドライバは、前記プロセッサへ接続され、前記対象の列グループにおける前記逆電流が前記予め設定された閾値よりも高いと前記プロセッサが決定する場合に、前記コンバータへ出力される前記制御信号を調整するよう構成される。
【手続補正３】
【補正対象書類名】明細書
【補正対象項目名】００１０
【補正方法】変更
【補正の内容】
【００１０】
第１の態様の第２のとり得る実施様式を参照して、第１の態様の第５のとり得る実施様式において、前記コンバータは、第２のキャパシタを更に含み、該第２のキャパシタの一端は、前記インダクタの一端へ接続され、前記第２のキャパシタの他端は、前記スイッチングトランジスタの前記エミッタへ接続され、前記第２のキャパシタは、入力電圧に対してフィルタリング処理を実行するよう構成される。
【手続補正４】
【補正対象書類名】明細書
【補正対象項目名】００１１
【補正方法】変更
【補正の内容】
【００１１】
本発明の実施形態において、光電池システムは、複数の光電池列、コンバータ、コントローラ、及びバスを含み、複数の光電池列は、２つ又は３つの並列接続された光電池列が１つの電流センサへ接続される少なくとも１つの列グループを含み、少なくとも１つの列グループは、並列に接続された後に、バスを使用することによってコンバータへ接続され、コンバータはコントローラへ接続され、コントローラは、少なくとも１つの列グループの中の夫々の列グループにおける電流センサへ接続され、電流センサは、夫々の列グループの総電流を検出し、逆電流が夫々の列グループにおいて存在するかどうかをコントローラに報告するよう構成され、コントローラは、逆電流が少なくとも１つの列グループにおける対象の列グループにおいて存在するとの電流センサからの報告を受ける場合に、コンバータへ出力される制御信号を調整するよう構成され、コンバータは、調整された制御信号に従って、対象の列グループにおける逆電流を低減するようにバス間のシステム電圧を低減するよう構成される。従って、光電池保護が提供され得るだけでなく、デバイス費用も低減される。
【手続補正５】
【補正対象書類名】明細書
【補正対象項目名】００１７
【補正方法】変更
【補正の内容】
【００１７】
以下は、本発明の実施形態における添付の図面を参照して、本発明の実施形態における技術的解決法を明りょうに記載する。明らかに、記載される実施形態は、本発明の実施形態の一部であって全てではない。創造的な活動なしで本発明の実施形態に基づき当業者によって手に入れられる全ての他の実施形態は、本発明の保護範囲内にあるべきである。
【手続補正６】
【補正対象書類名】明細書
【補正対象項目名】００２１
【補正方法】変更
【補正の内容】
【００２１】
更に、任意で、コンバータは、第２のキャパシタＣ２を含む。第２のキャパシタＣ２の一端は、インダクタＬ１の一端へ接続され、第２のキャパシタＣ２の他端は、スイッチングトランジスタのエミッタへ接続され、第２のキャパシタＣ２は、入力電圧に対してフィルタリング処理を実行するよう構成される。
【手続補正７】
【補正対象書類名】明細書
【補正対象項目名】００２４
【補正方法】変更
【補正の内容】
【００２４】
ドライバ３０３は、プロセッサ３０２へ接続され、対象の列グループにおける逆電流が予め設定された閾値よりも高いとプロセッサが決定する場合に、コンバータへ出力される制御信号を調整するよう構成される。
【手続補正８】
【補正対象書類名】明細書
【補正対象項目名】００２５
【補正方法】変更
【補正の内容】
【００２５】
更に、任意で、コントローラは、アナログ−デジタルコンバータ３０１を含む。アナログ−デジタルコンバータ３０１は、プロセッサ３０２へ接続され、電流センサによって報告された逆電流のアナログ信号を逆電流のデジタル信号に変換し、逆電流のデジタル信号をプロセッサへ出力するよう構成される。
【手続補正９】
【補正対象書類名】明細書
【補正対象項目名】００２７
【補正方法】変更
【補正の内容】
【００２７】
例えば、図１に示されるように、光電池システムはｎ個の列グループを含み、ｎ個の列グループはｍ個の光電池列を含む。第１の列グループは１つの光電池列を含み、第２の列グループは３つの光電池列を含み、ｎ番目の列グループは２つの光電池列を含む。第１の列グループにおける光電池列１が短絡されるとき、光電池列２乃至光電池列ｍの出力電流は全て、最大電流値Ｉｓｃであり、光電池列２乃至光電池列ｍに、逆電流（ｍ−１）Ｉｓｃを光電池列１へ供給させる。そして、電流センサＴ１は、逆電流が第１の列グループにおいて存在すること、及び逆電流の電流値が（ｍ−１）Ｉｓｃであることを検出する。代替的に、第２の列グループにおける光電池列１が短絡されるとき、光電池列２乃至光電池列ｍの出力電流は全て、最大電流値Ｉｓｃであり、光電池列２乃至光電池列ｍに、逆電流（ｍ−１）Ｉｓｃを光電池列１に供給させる。そして、この場合に、電流センサＴ２は、逆電流が第２の列グループにおいて存在すること、及び逆電流の電流値が（ｍ−３）Ｉｓｃであることを検出する。代替的に、ｎ番目の列グループにおける光電池列１が短絡されるとき、光電池列２乃至光電池列ｍの出力電流は全て、最大電流値Ｉｓｃであり、光電池列２乃至光電池列ｍに、逆電流（ｍ−１）Ｉｓｃを光電池列１へ供給させる。そして、この場合に、電流センサＴｎは、逆電流がｎ番目の列グループにおいて存在すること、及び逆電流の電流値が（ｍ−２）Ｉｓｃであることを検出する。
【手続補正１０】
【補正対象書類名】明細書
【補正対象項目名】００３０
【補正方法】変更
【補正の内容】
【００３０】
簡単な説明のために、前述のデバイスの実施形態は、動作の連続として表されることが留意されるべきである。しかし、当業者は、本発明が記載されている動作の順に制限されないことを認識するはずである。なぜなら、本発明に従って、いくつかのステップは、他の順序で又は同時に実施されてよいからである。その上、当業者はまた、本明細書において記載される全ての実施形態が、例となる実施形態に属し、関連する動作及びモジュールが、必ずしも本発明にとって義務的でないことを理解するはずである。
【手続補正１１】
【補正対象書類名】図面
【補正対象項目名】図２
【補正方法】変更
【補正の内容】
【図２】
2017530680.tif 000007
【国際調査報告】
2017530680.tif 000008
2017530680.tif 000009
2017530680.tif 000010
2017530680.tif 000011